(57)【要約】      （修正有）【課題】風が吹くと飛ばされたり、髪型がつぶされたり、帽子の中が蒸れて暑くなったりしにくい帽子を提供する。【解決手段】帽子本体１のつば部分１ａ又はクラウン下部１ｂに、支点になる蝶番４から櫛歯状の物３を帽子内側の頭部に添って後部まで伸ばし、その開閉により髪をオサエ２とで挟み込み、髪と帽子を固定したことにより大きめの帽子でも風で飛びにくくなり、尚且つ櫛歯状の物３が頭部の上に乗り、帽子本体１を支え、今までのように帽子全体で頭部を押しつぶすのではなく、部分的に櫛歯状の物３を入れた事で髪型をつぶしたりしにくくし、その厚みによりスペ−スを設けたことで風が入りやすく、帽子の中が蒸れて暑くなりにくい帽子になった。【選択図】図１
2012062597.tif 000002
【特許請求の範囲】
【請求項１】
帽子のつば部分又はクラウン下部に支点を設け、そこから櫛歯状又は複数の棒状の物を帽子内側の頭部に添って頭頂部又は後部まで伸ばし、その開閉により髪を挟み込み髪と帽子を固定し、尚且つ帽子と頭部の間にある、櫛歯状又は複数の棒状の物が頭部の上に乗り帽子をささえることを特徴とする帽子。
【請求項２】
帽子のつば部分又はクラウン下部に取り付けられるようにした支点から帽子内側の頭部に添った形状で頭頂部又は後部まで伸ばされた、櫛歯状又は複数の棒状の物で髪を挟み込み髪と帽子を固定し、尚且つ帽子と頭部の間にある、櫛歯状又は複数の棒状の物が頭部の上に乗り帽子をささえることを特徴とする帽子用クリップ。
【発明の詳細な説明】
【技術分野】
【０００１】
この発明は、風に飛ばされにくく、髪型がつぶれにくい帽子に関する。
【背景技術】
【０００２】
従来の帽子は風が吹くと飛ばされたり、髪型がつぶされたり、帽子の中が
蒸れて暑くなったりして汗が垂れてきたりしていた。
【先行技術文献】
【特許文献】
【０００３】
【特許文献１】特開２００８−３０８７６９
【特許文献２】特開２００５−２２０５０４
【発明の概要】
【発明が解決しようとする課題】
【０００４】
しかしながら、以上の技術によれば、クリップやピンで留めるものは風では飛ばないようになるが帽子をささえられない為、髪型がつぶされたり、帽子の中が蒸れて暑くなったりという点では不十分である。
そこで、この発明は、風が吹くと飛ばされたり、髪型がつぶされたり、帽子の中が蒸れて暑くなったりしにくい帽子を提供することを課題とする。
【課題を解決するための手段】
【０００５】
以上の課題を解決するために、第一発明は、帽子のつば部分又はクラウン下部に支点を設け、そこから櫛歯状又は複数の棒状の物を帽子内側の頭部に添って頭頂部又は後部まで伸ばし、その開閉により髪を挟み込み髪と帽子を固定し、尚且つ帽子と頭部の間にある、櫛歯状又は複数の棒状の物が頭部の上に乗り帽子をささえることを特徴とする帽子。
また、第二発明は、帽子のつば部分又はクラウン下部に取り付けられるようにした支点から帽子内側の頭部に添った形状で頭頂部又は後部まで伸ばされた、櫛歯状又は複数の棒状の物で髪を挟み込み髪と帽子を固定し、尚且つ帽子と頭部の間にある、櫛歯状又は複数の棒状の物が頭部の上に乗り帽子をささえることを特徴とする帽子用クリップ。
【発明の効果】
【０００６】
第一発明、または第二発明によれば、帽子のつば部分又はクラウン下部に付けた支点から櫛歯状又は複数の棒状の物を帽子内側の頭部に添って頭頂部又は後部まで伸ばし、その開閉により髪を挟み込み髪と帽子を固定したことにより大きめの帽子でも風で飛びにくくなり、尚且つ櫛歯状又は複数の棒状の物が頭部の上に乗り、帽子を支え、今までのように帽子全体で頭部を押しつぶすのではなく部分的にし櫛歯状の物を入れた事で髪型をつぶしたりしにくくし、その厚みによりスペ−スを設けたことで帽子の中が蒸れて暑くなりにくい帽子になった。
【図面の簡単な説明】
【０００７】
【図１】この発明の一実施形態を示す側面断面図である。
【図２】この発明の一実施形態を示す側面断面作用図である。
【図３】この発明の一実施形態を示す下面図である。
【図４】この発明の一実施形態を示す正面断面図ある。
【図５】この発明の一実施形態を示す側面断面図である。
【図６】この発明の一実施形態を示す側面断面作用図である。
【図７】この発明の一実施形態を示す側面断面図である。
【図８】この発明の一実施形態を示す側面断面作用図である。
【発明を実施するための形態】
【０００８】
この発明の一実施形態を、図１に示す。
第一発明の帽子は帽子本体１のつば部分１ａ又はクラウン下部１ｂに支点になる蝶番４を設け、そこから櫛歯状の物３を帽子内側の頭部に添って後部まで伸ばし、帽子本体１と櫛歯状の物３の間にある帽子本体１に取り付けられたオサエ２と櫛歯状の物３の開閉により髪を挟み込み、オサエ２の後部に付けられたロック５には左右に穴が開いていて櫛歯状の物３の後部外側には、引掛かり部７があり櫛歯状の物３を閉めた時に、その引掛かり部７が引掛かり固定する。図２は櫛歯状の物３を開いた図である。ロックを解除するときは櫛歯状の物３の一番後ろ側つまみ部６を内側につまみ、引掛かり部７をはずし解除する。後部のロック５の方法は特に限定しないが、すぐに固定解除できるものが望ましい。第二発明の帽子用クリップとは第一発明の帽子が付いていない状態で、あとから帽子に付けられるようにした物で、取り付けると第一発明の帽子と同じようになるクリップである。構造は第一発明と同じで帽子から取り外しが出来るようになっている。取り付け方は帽子本体１の内側にオサエ２を縫いあわせ取り付ける方法や、マジックテ−プ（登録商標）などを帽子内側に縫いあわせ、オサエ２をマジックテ−プ（登録商標）により付ける方法なども考えられる。
【０００９】
この発明の一実施形態を、図５に示す。
図１に対し後部にあったロック５を前側のロック１５に付けた帽子である。ロック５が後にない為、櫛歯状の物１３が後部まで無くてもよい。帽子本体１１のつば部分１１ａ又はクラウン下部１１ｂに支点になる蝶番１４を設け、そこから櫛歯状の物１３を帽子内側の頭部に添って頭頂部まで伸ばし、帽子本体１１と櫛歯状の物１３の間にある帽子本体１１に取り付けられたオサエ１２と櫛歯状の物１３の開閉により髪を挟み込み、オサエ１２の前部に付けられたロック１５には左右に穴が開いていて櫛歯状の物１３の前部外側には、引掛かり部１６があり櫛歯状の物１３を閉めた時に、その引掛かり部１６が引掛かり固定する。図６は櫛歯状の物１３を開いた図である。ロックを解除するときは櫛歯状の物１３の前側にある引掛かり部１６を内側に押し解除する。前部のロック１５の方法は特に限定しないが、すぐに固定解除できるものが望ましい。第二発明の帽子用クリップとは第一発明の帽子が付いていない状態で、あとから帽子に付けられるようにした物で、取り付けると第一発明の帽子と同じようになるクリップである。構造は第一発明と同じで帽子から取り外しが出来るようになっている。取り付け方は帽子本体１１の内側にオサエ１２を縫いあわせ取り付ける方法やマジックテ−プ（登録商標）などを帽子内側に縫いあわせオサエ１２をマジックテ−プ（登録商標）により付ける方法なども考えられる。
【００１０】
この発明の一実施形態を、図７に示す。
図１に対し後部にあったロック５を無くし蝶番２４にスプリング２５を付けた帽子である。櫛歯状の物２３は手で装飾品２６を押えスプリング２５を縮めて開かれスプリング２５の力で閉じる。ロック５が後にない為、櫛歯状の物２３が後部まで無くてもよい。帽子本体２１のつば部分２１ａ又はクラウン下部２１ｂに支点になる蝶番２４を設け、そこからつば部と一体構造の櫛歯状の物２３を帽子内側の頭部に添って頭頂部まで伸ばし、帽子本体２１と櫛歯状の物２３の間にある帽子本体２１に取り付けられたオサエ２２と櫛歯状の物２３の開閉により髪を挟み込み固定する。オサエ２２と装飾品２６の取り付け部分は一体構造で、つば部分などの一部に切り込みなどをいれ装飾品２６の取り付け部分を外に出す。蝶番２４にはスプリング２５が付いていてオサエ２２と一体構造の、装飾品２６を押えることによりスプリング２５を縮めてオサエ２２と櫛歯状の物２３を開く。装飾品２６を放すとスプリング２５の力によりオサエ２２と櫛状の物２３は閉じる。装飾品２６にはプレ−トや装飾を施して見た目もよく見せた方が望ましい。第二発明の帽子用クリップとは第一発明の帽子が付いていない状態で、あとから帽子に付けられるようにした物で、取り付けると第一発明の帽子と同じようになるクリップである。構造は第一発明と同じで帽子から取り外しが出来るようになっている。取り付け方は帽子本体２１の内側にオサエ２２を縫いあわせ取り付ける方法やマジックテ−プ（登録商標）などを帽子内側に縫いあわせオサエ２２をマジックテ−プ（登録商標）により付ける方法なども考えられる。
【００１１】
「実施形態の効果」
この実施形態によれば、帽子本体１のつば部分１ａ又はクラウン下部１ｂに支点になる蝶番４から櫛歯状の物３を帽子内側の頭部に添って後部まで伸ばし、その開閉により髪をオサエ２とで挟み込み髪と帽子を固定したことにより大きめの帽子でも風で飛びにくくなり、尚且つ櫛歯状の物３が頭部の上に乗り、帽子本体１を支え、今までのように帽子全体で頭部を押しつぶすのではなく部分的にし櫛歯状の物３を入れた事で髪型をつぶしたりしにくくし、その厚みによりスペ−スを設けたことで風が入りやすく、帽子の中が蒸れて暑くなりにくい帽子になった。帽子の装着方法はオサエ２と櫛歯状の物３を開き櫛歯状の物３を髪に差込みオサエ２を閉じロックするという方法になる。
【符号の説明】
【００１２】
１  帽子本体            １ａ  つば部分
１ｂ  クラウン下部      ２  オサエ
３  櫛歯状の物          ４  蝶番
５  ロック              ６  つまみ部
７  引掛かり部          １１  帽子本体
１１ａ  つば部分        １１ｂ  クラウン下部
１２  オサエ            １３  櫛歯状の物
１４  蝶番              １５  ロック
１６  引掛かり部        ２１  帽子本体
２１ａ  つば部分        ２１ｂ  クラウン下部
２２  オサエ            ２３  櫛歯状の物
２４  蝶番              ２５  スプリング
２６  装飾品
【図１】
2012062597.tif 000003
【図２】
2012062597.tif 000004
【図３】
2012062597.tif 000005
【図４】
2012062597.tif 000006
【図５】
2012062597.tif 000007
【図６】
2012062597.tif 000008
【図７】
2012062597.tif 000009
【図８】
2012062597.tif 000010